(57)【特許請求の範囲】
【請求項１】
一枚の紙片に裏側からナイフを用いて曲線状に強弱を付与した刻み目を入れた後、該刻み目の部分が山側になるように曲線形状に折曲して、背景と人体、花瓶等の事物、花、山等の装飾体とをわずかな凹凸表面に一体に形成し、該折曲紙片に対して、内部に光源を入れた箱体に立設して光を照射することを特徴とする立体効果を有する装飾体の製作方法。
【請求項２】
着色紙を粘着した紙片の所要箇所の着色紙を切除してなる紙片を用いてなる請求項１記載の立体効果を有する装飾体の製作方法。
【発明の詳細な説明】
【０００１】
【産業上の利用分野】
本発明は、紙片を用いて絵画や各種物体を立体的に表現する装飾体の製作方法に関する。
【０００２】
【従来の技術】
絵画や各種物体を紙片によってその表面を立体的に表現する方法として種々のものが提案されている。例えば、１枚の紙片に疎らに何個所か糊をつけておき、その上にもう１枚の紙片を少しずらして糊付けし、その後同様に順次紙片をずらせて糊付けして表面とし、このように紙片をずらせることにより表面に形成される筋目や彩色後の表面の凹凸、剥がれなどにより立体感を出そうとするものである。
【０００３】
また、横長の紙片複数枚を縦方向にわずかづつずらせて重ね合わせ、それをステープルで横方向に疎らに止めて紙片の束を作成し、その紙片の束を同様に重ね合わせステープルで止めて表面とし、この表面を様々な形に成形された物に貼りつけ、その表面に紙片を付着させる性質をもつ絵具を塗って装飾表面とすることにより、作製された表面に凹凸を生じさせるものもある。
【０００４】
更に他の立体形成方法としては、紙片を具現すべき形状に切取り、切り取った紙片を所望形状にわん曲させて立体的に形成したものを複数個製作し、これらの各紙片を平面条の紙面に糊つけにより貼り付け、所望の具象物に現出させるか、前記複数個の各部片を連続的に組み合わせて糊つけして一体化して所望の形状の具象物を製作するものもある。
【０００５】
紙片以外の材料を用いる装飾立体面の形成方法として、石材を削ったり、粘度を盛り上げたり、銅、真鍮等の金属材料を展延するレリーフ（浮き彫り）と称する手法も公知である。
【０００６】
【発明が解決しようとする課題】
上記各種の従来のものにおいては、立体感は紙片の積層、あるいは曲げにより生じるものであるが、実物に近い立体感を出すためには実物にできる限り近い凹凸を形成することが必要であり、その凹凸が実物に近く見えるという態様の立体感の表現方法である。
【０００７】
そのため、できる限り実物に近い立体感を出すためには、多くの手数を要するほか、紙片の突出部が大きくなり、装飾体として不適当なものとなってしまうことがある。また、例えば風景等を立体的に表現することは極めて困難であった。更に複数個の部片を製作しなければならず手間がかり能率的でなかった。
【０００８】
また、レリーフ（浮き彫り）による手法では、材料に力を加えて変形させ、光の照射、反射による光のコントラストで生じる陰影を強調するものであり、やはり製作に手間がかり大量生産することができない。
【０００９】
したがって、本発明は、実質的に紙材料に延ばす等の変形を加えないで単に一枚の紙片に曲線状の刻み目を入れ、曲線で囲まれた面に、実物に近い立体感を容易に、かつ安価に、しかも風景等の絵画も立体的に表現することができる、立体効果を有する装飾体を製作することを目的とする。
【００１０】
【課題を解決するための手段】
本発明は、上記課題を解決するために、一枚の紙片に裏側からナイフを用いて曲線状に強弱を付与した刻み目を入れた後、該刻み目の部分が山側になるように曲線形状に折曲して、背景と人体、花瓶等の事物、花、山等の装飾体とをわずかな凹凸表面に一体に形成し、該折曲紙片に対して、内部に光源を入れた箱体に立設して光を照射することを特徴とする立体効果を有する装飾体の製作方法としたものである。
【００１１】
【作用】
本発明は上記のように構成したので、所定形状に折曲して凹凸表面を形成した紙面に対し、所定の方向から光を当てると、この折曲紙片を見ている人に対して折曲紙片の特定角度の部分は光を反射して極めて明るく見え、逆に見ている人とは大きくくずれている方向に反射する角度に折り曲げられている部分は対照的に暗く見え、その中間の角度の部分は両者の中間の種々の明るさに見える。また、曲げられた紙面が各部分の曲率が異なり、しかも連続的形成されているため、照射された光によって明かるい部分と陰になる部分とを生じ、これらの相乗によりわずかの紙面の折曲にもかかわらず各部分によって微妙な光の反射度が異なり極めて立体的に表現される。
【００１２】
【実施例】
本発明の実施例を図面に沿って説明する。図１は本発明により紙片１に花器の図柄２を立体的に表現した例を示す。その製作に際しては、図２に示すように、ケント紙や一般洋紙等で光を透過しにくい紙、あるいは透明なものや着色されたプラスチックフィルムを表面に粘着した紙、あるいはシルバーやゴールドを含む各種の色の着色紙や箔を粘着した紙からなる紙片１に対し、その裏側からナイフ３で花器の形状に適宜の深さの刻み目４を入れる。
【００１３】
次いでこの刻み目４の部分が山側になるように、即ち、刻み目４の部分の表側が刻み目を中心として谷側に鈍角になるように、できる限り他の紙片表面に折り目や屈曲部を形成することがないように、刻み目４の部分全体を折り曲げる。なお、この際、刻み目４を表側に入れ、刻み目の部分が山側になるように折り曲げると、刻み目部分の紙表面の切れ目が広がり、紙の内部が露出するので、特別の効果を望む時以外は適切ではない。また、上記実施例のように刻み目を入れて折曲すると、紙片の表面側の折曲部分は、刻み目を入れた程度や、折曲部分の角の出し方の程度によってもその装飾効果を換えることができる。即ち、刻み目を比較的深く入れ、折曲部分の輪郭に沿って強く角を出すと、その部分での明暗は明瞭に表現され、ゆるやかに角を出すと明暗がゆるやかに変化させることができ、曲げる程度を使い分けることにより各種の微妙な立体的表現が可能となる。例えば背景から物体が飛び出ている感じを出す際には、その物体の輪郭に沿って強く角を出し、また、曲面と曲面との連結線部分や曲面そのものを表現する際には、ゆるやかに折曲する。したがって、上記実施例において、花器２を背景５から飛び出た感を出すためにその輪郭部分６は強く角が出され、花器２の表面の模様７等はゆるやかに曲げて質感を出す。
【００１４】
上記のようにして折曲され、凹凸表面を形成された折曲紙片８を、内部に蛍光灯、着色電球等の光源１０を入れ、上面がすりガラス等の半透明体１１で形成され、他の面は非透光体で構成されてなる箱体１２の上面の半透明体１１上に立設し、周囲はできる限り暗くして光源１０を点灯する。これを折曲紙片８の前面の所定位置から観ると、花器２全体が光り、花器２が暗い背景から飛び出して見え、更に花器２の表面の凹凸に応じて花器の表面が立体的に見えるとともに、その表面に形成した模様７の折曲部分もその形状に沿って各種の陰影を生じ、質感のある模様を現出する。
【００１５】
上記のように立体的に表現するものとしては、人体、花瓶等の事物、花、山等の風景等種々のものが可能である。光源としては着色光りを用いることも効果的である。例えば、図３に示すように、表面に着色塗料を塗布した厚紙３０を用い、人体３１の形状にその輪郭線３２を曲線状に裏面から厚紙３０にナイフで切り込みを入れ、背景３３を凸にしてわん曲させ、人体部３１を輪郭線３２に沿って凹にする。そうすると、輪郭線３２の曲線に沿って人体の各部分の曲率が異なるため、自然光によって人体に微妙に明暗が現出し、立体的に見える人体を表現することができる。更に、ナイフの切り込みの浅い輪郭線３４の曲線に沿った部分では、輪郭線３２の曲線に沿った部分に比べて柔らかい陰影が形成されて、趣のある幻想的で優雅な質感がえられるものである。また、図３の曲線と曲線との間隔が小さい部分では、湾曲度（曲率）が大きくなり、その湾曲度（曲率）の差により、腰の周りは低い凸状に見え、脚部は高い凹状に見える。更に、ナイフの切り目の深さの強弱によっても微妙な光の陰影が現出する。
【００１６】
同様に図４に示すように、富士山の形状にその輪郭を折曲し、山の斜面に沿って適宜のしわを形成したものにおいて、光源を紙面のわずかに裏面に配置して光を当てると、空の部分４１が暗く、山の部分４２が明るく見え、逆に光源を紙面の表側に移動させると空の部分４１が明るく、山の部分４２が暗く見え、朝夕の富士山の様子を単に光源の移動のみで表現することができる。またこの時、山の斜面に沿って形成したしわ４３は、裏面から予め刻み目を入れることなく、紙面を指で適宜のしわを形成すると、山肌の凹凸をリアルに表現することができる。
【００１７】
一方、紙片としてシルバーやゴールドを含む各種の色の着色紙を粘着したものを使用する際には、そのまま使用することもできるが、表面の色紙を適宜の形状に切除し、切除部分を原紙表面の状態とすることにより、適宜の部分が着色された立体的なものを表現することができる。したがって、例えば水着部分のみ色紙を残して紙片に人体の輪郭で折曲すると、着色紙の色の水着を着た女性を立体的に表現する等、本発明の適用範囲はきわめて広いものとなる。
【００２１】
【発明の効果】
上記のように本発明によると、一つの紙片の表面上の僅かな凹凸により実物に近い立体感を表現することができ、しかも容易に、かつ安価に、風景等の絵画も立体的に表現することができ、広範囲の分野で利用可能となる。
【図面の簡単な説明】
【図１】  本発明の実施例の全体概要を示す斜視図である。
【図２】  同紙片に刻み目を入れる状態を示す斜視図である。
【図３】  本発明の他の実施例の正面図である。
【図４】  本発明のさらに他の実施例の正面図である。
【図１】
0003738300.tif 000002
【図２】
0003738300.tif 000003
【図３】
0003738300.tif 000004
【図４】
0003738300.tif 000005